(57)【要約】【課題】マスコンや地下外壁等の切断が可能な非金属構造物の切断装置を提供する。【解決手段】非金属構造物の切断装置１１は、非金属構造物１２に対して連続的に移動可能な切断トーチ１３と、切断トーチを連続的に移動させるためのハンドリング装置１４と、切断トーチに接続する供給ホース１５と、供給ホースを介して切断トーチの火炎口１６側に供給する燃焼ガス、酸素、金属粉及び冷却水と、燃焼ガス、酸素、金属粉及び冷却水をそれぞれ収納する調整器１７とを備える。ハンドリング装置は、移動自在な台車２３に設置されている。【選択図】図２
2020138303.tif 000002
【特許請求の範囲】
【請求項１】
非金属構造物に対して連続的に移動可能な切断トーチと、
該切断トーチを連続的に移動させるためのハンドリング装置と、
前記切断トーチに接続する供給ホースと、
該供給ホースを介して前記切断トーチの火炎口側に供給する燃焼ガス、酸素、金属粉及び冷却水と、
該燃焼ガス、酸素、金属粉及び冷却水をそれぞれ収納する調整器と、を少なくとも備えること
を特徴とする非金属構造物の切断装置。
【請求項２】
前記切断トーチは、火炎口側の筒部に連通する燃焼ガス供給路、酸素供給路及び金属粉供給路が設けられていると共に、当該切断トーチを冷却するための冷却水路が設けられていること
を特徴とする請求項１に記載の非金属構造物の切断装置。
【請求項３】
前記ハンドリング装置は、移動自在な台車に設置されていること
を特徴とする請求項１に記載の非金属構造物の切断装置。
【請求項４】
前記燃焼ガスは、水素リッチガスであること
を特徴とする請求項１に記載の非金属構造物の切断装置。
【請求項５】
請求項１の切断装置を使用した非金属構造物の切断方法であって、
非金属構造物に対して切断トーチを相対し、
該切断トーチの火炎口を前記非金属構造物に対して連続的に移動させて、前記火炎口の火炎によって当該非金属構造物に裂開部を形成し、
該裂開部に対して前記火炎口を連続的に移動させると共に、徐々に挿入して当該裂開部を深化させて、前記非金属構造物を切断すること
を特徴とする非金属構造物の切断方法。
【発明の詳細な説明】
【技術分野】
【０００１】
本発明は、マスコンや地下外壁等の切断が可能なコンクリート等の非金属構造物の切断装置及び切断方法に関するものである。
【背景技術】
【０００２】
近年、スクラップアンドビルドにより建物の更新が行われる機会が多いが、そのため既存コンクリート構造物の解体作業にともなう騒音や振動の発生が社会問題となっている。
最も施工性が良い解体工法はジャイアントブレーカーを用いる工法であるが、振動が大きいため周辺への影響が危惧される場合は、ワイヤソーやコアドリルを用いて既存コンクリート構造物の解体が行われている。
しかし、この場合も既存コンクリート構造物の状態が明確でないことから、工程遅延やコストアップの要因となっている。
【０００３】
一方、従来のコンクリート構造物の切断方法としては、特開昭４９−７１７３１号公報に開示されたコンクリート構造物を溶断する方法および装置が知られている（特許文献１参照）。
【０００４】
このコンクリート構造物の溶断方法は、（Ａ）まず、溶断しようとするコンクリート構造物を可燃性ガスによる火炎で予熱して予熱部分を形成し、（Ｂ）予熱した部分を酸化反応熱の大きい金属粉末のほか、溶融スラグの流動を促進させる金属粉末の混合粉末による高温火炎ジェットで溶融させ、（Ｃ）その溶融スラグの外部流出をさらに早めるため高圧流体の噴流エネルギーを利用して吹き飛ばして、コンクリート構造物を溶断する方法である。
【０００５】
また、コンクリート構造物を溶断する装置１は、図４に示すように、３本のノズル２、３、４を備え、その第１のノズル２は金属粉末供給装置２ａに接続されて高温の火炎ジェット２ｂを形成し、第２のノズル３は可燃性ガスボンベ３ａに接続されて火炎ジェット３ｂを形成し、第３のノズル４は流体源４ａに接続されて溶融したコンクリート構造物を吹き飛ばす構成である。
【０００６】
このような構成のコンクリート構造物を溶断する装置１は、図４に示すように、ノズル２、３、４が一緒に矢印Ｘ方向に移動する。（ａ）そして、ノズル３からの火炎ジェット３ｂによりコンクリート構造物５の表面５ａに予熱部分６を形成する。（ｂ）次に、予熱部分６にノズル２からの高温火炎ジェット２ｂが当たり、コンクリート構造物５の表面５ａが溶融して溶融部分７を形成する。（ｃ）さらに、ノズル４からの空気流４ｂによって溶融部分７を吹き飛ばす。
従って、溶融部分７は溶融スラグ８となって流出し、コンクリート構造物５に付着固化することがない。
【先行技術文献】
【特許文献】
【０００７】
【特許文献１】特開昭４９−７１７３１号公報
【発明の概要】
【発明が解決しようとする課題】
【０００８】
この従来例のコンクリート構造物を溶断する方法および装置においては、数センチから数十センチ厚のコンクリート構造物を溶断することは可能であるが、例えば厚さ１メートル以上のマスコンを溶断することができない。
また、地下外壁や耐圧盤等の背面側に制限がある箇所では施工性に問題があり、その結果、工程遅延やコストアップのおそれがあるという問題点を有している。
【０００９】
火炎口のノズルが３本必要なので、溶断作業時の作業性が悪いだけでなく、装置の製作コストが高くなるという問題点を有している。
【００１０】
従って、従来例における場合においては、マスコンを切断できることと、地下外壁や耐圧盤等の背面側に制限がある場合でも施工性良く切断できることと、切断作業時の作業性を向上させること等に解決しなければならない課題を有している。
【課題を解決するための手段】
【００１１】
前記従来例の課題を解決するための本発明の要旨は、非金属構造物に対して連続的に移動可能な切断トーチと、該切断トーチを連続的に移動させるためのハンドリング装置と、前記切断トーチに接続する供給ホースと、該供給ホースを介して前記切断トーチの火炎口側に供給する燃焼ガス、酸素、金属粉及び冷却水と、該燃焼ガス、酸素、金属粉及び冷却水をそれぞれ収納する調整器と、を少なくとも備えることである。
【００１２】
また、前記切断トーチは、火炎口側の筒部に連通する燃焼ガス供給路、酸素供給路及び金属粉供給路が設けられていると共に、当該切断トーチを冷却するための冷却水路が設けられていること、；
前記ハンドリング装置は、移動自在な台車に載置されていること、；
前記燃焼ガスは、水素リッチガスであること、；
を含むものである。
【００１３】
前記従来例の課題を解決するための本発明の要旨は、請求項１の切断装置を使用した非金属構造物の切断方法であって、非金属構造物に対して切断トーチを相対し、該切断トーチの火炎口を前記非金属構造物に対して連続的に移動させて、前記火炎口の火炎によって当該非金属構造物に裂開部を形成し、該裂開部に対して前記火炎口を連続的に移動させると共に、徐々に挿入して当該裂開部を深化させて、前記非金属構造物を切断することである。
【発明の効果】
【００１４】
本発明に係る非金属構造物の切断装置によれば、切断トーチの火炎口を非金属構造物に対して連続的に移動することができる。そして、火炎口の火炎によって非金属構造物に裂開部を形成することができる。さらに、裂開部に対して火炎口を連続的に移動させると共に、徐々に挿入して裂開部を深化させて非金属構造物を切断することができる。
従って、マスコン等の大型な構造物を切断できるし、地下外壁や耐圧盤等の背面側に制限がある場合でも作業性良く切断できるという種々の優れた効果を奏する。
【００１５】
切断トーチは、火炎口側の筒部に連通する燃焼ガス供給路、酸素供給路及び金属粉供給路が設けられていると共に、当該切断トーチを冷却するための冷却水路が設けられていることによって、切断作業時に切断トーチを冷却することができる。
従って、非金属構造物の裂開部から火炎口を挿入した時に、切断トーチの過熱を防止しながら切断作業を行えるという優れた効果を奏する。
【００１６】
ハンドリング装置は、移動自在な台車に設置されていることによって、切断装置を自在に移動できるので、様々な場所で切断作業を行うことが可能であるという優れた効果を奏する。
【００１７】
燃焼ガスは、水素リッチガスであることによって、切断作業時に切断対象物からの輻射熱を抑えることができるので、非金属構造物の裂開部から火炎口を挿入した時に、切断トーチの過熱を抑制することができるという優れた効果を奏する。
【００１８】
本発明に係る非金属構造物の切断方法によれば、切断トーチの火炎口を非金属構造物に対して連続的に移動させて、火炎口の火炎によって非金属構造物に裂開部を形成し、さらに裂開部に対して火炎口を連続的に移動させると共に、徐々に挿入して裂開部を深化させて非金属構造物を切断するので、マスコン等の大型な構造物を切断できる。また、地下外壁や耐圧盤等の背面側に制限がある場合でも作業性良く切断できるという種々の優れた効果を奏する。
【図面の簡単な説明】
【００１９】
【図１】本発明に係る切断装置を使用した切断作業を説明する側面図である。
【図２】本発明に係る切断装置を使用した切断作業を説明する側面図である。
【図３】切断トーチの構造を説明する横断面図である。
【図４】従来例に係るコンクリート構造物を溶断する装置を略示的に示す断面図である。
【発明を実施するための形態】
【００２０】
次に、本発明の実施の形態について図面を参照しながら説明する。まず、図１及び図２において、符号１１は非金属構造物の切断装置を示し、この切断装置１１は、非金属構造物１２に対して連続的に移動可能な切断トーチ１３と、切断トーチ１３を連続的に移動させるためのハンドリング装置１４と、切断トーチ１３に接続する供給ホース１５と、供給ホース１５を介して切断トーチ１３の火炎口１６側に供給する燃焼ガス、酸素、金属粉及び冷却水と、これら燃焼ガス、酸素、金属粉及び冷却水をそれぞれ収納する調整器１７とから構成される。
【００２１】
切断対象物の非金属構造物１２は、例えばマスコン、地下外壁あるいは耐圧盤等の大型のコンクリート構造物であるが、それら以外にも様々な大型又は小形の非金属の構造物が含まれる。
【００２２】
切断トーチ１３は、図３に示すように、火炎口１６側の筒部１８に連通する燃焼ガス供給路１９と、酸素供給路２０と、金属粉供給路２１とを有する。
また、切断トーチ１３には、冷却水路２２が設けられおり、冷却水路２２の一方側２２ａから冷却水を送水して、他方側２２ｂから冷却水を排出できる仕組みになっている。このように、切断トーチ１３を冷却水で冷却することができるので、非金属構造物１２の裂開部２４から火炎口１６を挿入した時に（図１及び図２参照）、切断トーチ１３の過熱を防止しながら切断作業が行える。
【００２３】
ハンドリング装置１４は、図１及び図２に示すように、複数本のアーム２５が複数のピン２６を介して回動自在に設けられており、基部２７が台車２３に設置されて、先端部２８が切断トーチ１３に接続している。
そして、適宜のピン２６には操作アーム２９が設けられており、この操作アーム２９を作業者３０が操作することによって、切断トーチ１３を自在に移動できる仕組みになっている。つまり、非金属構造物１２に対して切断トーチ１３を連続的に移動することが可能である。
切断トーチ１３の連続的な移動は、非金属構造物１２に対して上下方向又は遠近方向への移動と、切断トーチ１３の一部を支点にした首振り移動又は揺動と、切断幅を広げるための横方向への移動とを意味する。
また、図１において符号３１は、作業者３０が乗る作業台を示す。
【００２４】
また、ハンドリング装置１４は、移動自在な台車２３に設置されている。従って、切断装置１１を適宜に移動させて様々な場所で切断作業を行うことができる。
【００２５】
供給ホース１５は、調整器１７に収納された燃焼ガス、酸素、金属粉及び冷却水をそれぞれ切断トーチ１３に供給するためのゴム製又は樹脂製等のホースである。
【００２６】
調整器１７は、供給ホース１５を介して切断トーチ１３の火炎口１６側に供給する燃焼ガス、酸素、金属粉及び冷却水をそれぞれの収納体に収納する。
【００２７】
燃焼ガスは、可燃性ガスと支燃性ガスとの混合ガスである。また、燃焼ガスは水素ガスや種々なガスを使用できるが、特に水素リッチガスであることが望ましい。この場合、切断作業時に切断対象物からの輻射熱を抑えることができるので、非金属構造物１２の裂開部２４から火炎口１６を挿入した時に、切断トーチ１３の過熱を抑制することができる。
水素リッチガスは、水素ガス（１００％）、又は水素ガスと炭化系ガスの混合ガス（水素混合比率が５０％以上）である。
【００２８】
酸素は、燃焼ガスを燃焼するため、金属粉を燃焼するため、及び非金属構造物粉等を排出するために切断トーチ１３に供給する。
また、金属粉は、炎の温度を上げるために切断トーチ１３に供給する。金属粉は、具体的には鉄とアルミの混合粉を用いるが、これ以外にも炎の温度を上げることのできる様々な種類の金属粉を用いてもよい。
【００２９】
以上のように構成される非金属構造物の切断装置１１は、切断トーチ１３の火炎口１６を非金属構造物１２に対して連続的に移動することができる。そして、火炎口１６の火炎によって非金属構造物に裂開部２４を形成することができる。さらに、裂開部２４に対して火炎口１６を連続的に移動させると共に、徐々に挿入して裂開部２４を深化させて非金属構造物１２を切断することができる（図１及び図２参照）。
従って、マスコン等の大型な構造物を容易に切断できるし、地下外壁や耐圧盤等の背面側に制限がある場合でも作業性良く切断できる。
なお、切断トーチ１３の火炎口１６を非金属構造物１２に対して連続的に移動することについては、上述したように、火炎口１６を非金属構造物１２に対して上下方向又は遠近方向へ移動することと、切断トーチ１３の一部分を支点にした首振り移動又は揺動することと、切断幅を広げるための横方向へ移動することとを意味する。
【００３０】
次に、非金属構造物の切断装置１１を使用した非金属構造物の切断方法について説明する。まず、非金属構造物１２に対して切断トーチ１３を相対し、切断トーチ１３の火炎口１６を非金属構造物１２に対して連続的に移動させて、火炎口１６からの火炎１６ａによって非金属構造物１２に裂開部２４を形成する。そして、裂開部２４に対して火炎口１６を連続的に移動させると共に、徐々に挿入して裂開部２４を深化させて、非金属構造物１２を切断する（図１及び図２参照）。このとき火炎１６ａの切断温度は、２０００〜２５００℃以上であると思われる。
【００３１】
以上のように構成される非金属構造物の切断方法は、火炎口１６の火炎１６ａによって非金属構造物１２に裂開部２４を形成し、さらに裂開部２４に対して火炎口１６を連続的に移動させると共に、徐々に挿入して裂開部２４を深化させて非金属構造物１２を切断するので、マスコン等の大型な構造物を切断できる。また、地下外壁や耐圧盤等の背面側に制限がある場合でも作業性良く切断できる。
【符号の説明】
【００３２】
１    コンクリート構造物を溶断する装置
２    第１のノズル
２ａ  金属粉末供給装置
２ｂ  高温の火炎ジェット
３    第２のノズル
３ａ  可燃性ガスボンベ
３ｂ  火炎ジェット
４    第３のノズル
４ａ  流体源
４ｂ  空気流
５    コンクリート構造物
５ａ  表面
６    予熱部分
７    溶融部分
８    溶融スラグ
１１  非金属構造物の切断装置
１２  非金属構造物
１３  切断トーチ
１４  ハンドリング装置
１５  供給ホース
１６  火炎口
１６ａ火炎
１７  調整器
１８  筒部
１９  燃焼ガス供給路
２０  酸素供給路
２１  金属粉供給路
２２  冷却水路
２２ａ一方側
２２ｂ他方側
２３  台車
２４  裂開部
２５  アーム
２６  ピン
２７  基部
２８  先端部
２９  操作アーム
３０  作業者
３１  作業台
【図１】
2020138303.tif 000003
【図２】
2020138303.tif 000004
【図３】
2020138303.tif 000005
【図４】
2020138303.tif 000006